(57)【要約】      【課題】  術者にとって操作性が優れ、また、接続された電子内視鏡の種類に応じた機能を操作部に割り当てることができる。      【解決手段】  接続された該電子内視鏡及び該プロセッサに関する操作を行う為の操作ボタンが表示されるタッチパネルと、操作ボタンの表示及び機能割当を設定する設定手段であって、タッチパネルの任意の表示領域に該操作ボタンを表示させる表示手段と、該表示手段により表示された該操作ボタンの表示領域に、該操作ボタンに対応した機能を割り当てる機能割当手段を有した設定手段を備える。【選択図】      図２
2005185541.tif 000002
【特許請求の範囲】
【請求項１】
体腔内を観察する為の電子内視鏡から出力される画像信号に所定の処理を施す電子内視鏡用プロセッサであって、接続された該電子内視鏡及び該プロセッサに関する操作を行う為の操作ボタンが表示されるタッチパネルを備えた電子内視鏡用プロセッサにおいて、
前記操作ボタンの表示及び機能割当を設定する設定手段であって、前記タッチパネルの任意の表示領域に該操作ボタンを表示させる表示手段と、該表示手段により表示された該操作ボタンの表示領域に、該操作ボタンに対応した機能を割り当てる機能割当手段と、を有した設定手段をさらに備えたこと、を特徴とする電子内視鏡用プロセッサ。
【請求項２】
それぞれ異なった、前記操作ボタンに関するパターンを複数有し、
前記設定手段は、選択された該パターンに応じて、該操作ボタンの表示及び機能割当を設定すること、を特徴とする請求項１に記載の電子内視鏡用プロセッサ。
【請求項３】
所定の操作に関連づけられた、前記操作ボタンに関するパターンを複数有し、
前記設定手段は、該所定の操作に応じて、該操作ボタンの表示及び機能割当を設定すること、を特徴とする請求項１に記載の電子内視鏡用プロセッサ。
【請求項４】
前記設定手段は、接続された電子内視鏡に対応した操作ボタンの表示及び機能割当を設定すること、を特徴とする請求項１からは請求項３のいずれかに記載の電子内視鏡用プロセッサ。
【請求項５】
体腔内を観察する為の電子内視鏡と、
前記電子内視鏡と接続された、該電子内視鏡から出力される画像信号に所定の処理を施す電子内視鏡用プロセッサであって、接続された該電子内視鏡及び該プロセッサに関する操作を行う為の操作ボタンが表示されるタッチパネルを備えた電子内視鏡用プロセッサと、を備えた電子内視鏡システムにおいて、
前記電子内視鏡用プロセッサは、前記操作ボタンの表示及び機能割当を設定する設定手段であって、前記タッチパネルの任意の表示領域に該操作ボタンを表示させる表示手段と、該表示手段により表示された該操作ボタンの表示領域に、該操作ボタンに対応した機能を割り当てる機能割当手段と、を有した設定手段をさらに備えたこと、を特徴とする電子内視鏡システム。
【請求項６】
前記電子内視鏡は、自己の種類を識別させる識別情報を有し、
前記設定手段は、前記識別情報に基づいて前記操作ボタンの表示及び機能割当を設定すること、を特徴とする請求項５に記載の電子内視鏡システム。
【発明の詳細な説明】
【技術分野】
【０００１】
この発明は、体腔内を観察する為の電子内視鏡から出力される画像信号に所定の処理を施す電子内視鏡用プロセッサ、及び該電子内視鏡用プロセッサを備えた電子内視鏡システムの操作に関する。
【背景技術】
【０００２】
一般的に、体腔内を観察する為の医療用電子内視鏡システムは、体腔内を観察する為に該体腔内に挿入される電子内視鏡（電子スコープ）であって、挿入部先端に体腔内の撮像を行う為の固体撮像素子を有した電子内視鏡と、該電子内視鏡を介して体腔内を照明する光源部や該電子内視鏡から出力される画像信号に所定の処理を施す画像処理部等を備える電子内視鏡用プロセッサ、及び該電子内視鏡用プロセッサから出力される映像信号を表示する外部モニタから構成されている。
【０００３】
上記医療用電子内視鏡システムのうち電子内視鏡の操作は、主に、術者が電子内視鏡を把持する為の把持部近傍に設けられた操作ボタンやレバーを操作することによって行われる。これらの操作ボタンやレバーを操作すると、例えば、電子内視鏡の挿入部先端を上下左右に湾曲させたり、電子内視鏡にセットされた鉗子などの処置具を操作したりすることができる。
【０００４】
また、電子内視鏡用プロセッサの操作は、主に、該プロセッサのフロント部分に設けられたフロントパネルを操作することによって行われる。このフロントパネルの各入力部（操作ボタン等）には各種機能が割り当てられており、これらの入力部を操作すると、操作された入力部に応じて、例えば、光源部の調光や、外部モニタにおける体腔内の観察画像の表示に関する設定（エンハンス、カラーバランス、ブライトネス等）を行うことができる（例えば、特許文献１参照）。
【特許文献１】特開２０００−１３９８３４号公報
【発明の開示】
【発明が解決しようとする課題】
【０００５】
一般に、電子内視鏡用プロセッサは、該プロセッサを購入した際に、既に、フロントパネルの各入力部に上述したような各種機能が割り当てられている。従って、各入力部の配置によって術者が該入力部の操作性に不満を感じた場合であっても、該入力部の配置を変更することができない為、該操作性を改善することができなかった。
【０００６】
また近年、電子内視鏡及び電子内視鏡用プロセッサは多様化、高性能化、及び高機能化している為、フロントパネルに配置されている入力部の数は多くなる傾向にある。一般に電子内視鏡用プロセッサは複数の術者が様々な電子内視鏡を装着して使用する為、複数の機種の電子内視鏡の全ての機能に対応して入力部が設けられている。従って、装着された電子内視鏡の機種によってはフロントパネルの入力部に割り当てられている機能の中に不要なものがあることがある。医療行為は迅速な判断が要求される為、不要な機能を有した入力部の存在は望ましくなかった。
【０００７】
そこで、本発明は上記の事情に鑑み、術者にとって操作性が優れ、また、接続された電子内視鏡の種類に応じて不要な機能を有した入力部を削除することができる電子内視鏡用プロセッサ、及び該電子内視鏡用プロセッサを備えた電子内視鏡システムを提供することを目的とする。
【課題を解決するための手段】
【０００８】
上記の課題を解決する本発明の一態様に係る電子内視鏡用プロセッサは、体腔内を観察する為の電子内視鏡から出力される画像信号に所定の処理を施すものであって、接続された該電子内視鏡及び該プロセッサに関する操作を行う為の操作ボタンが表示されるタッチパネルを備えている。そしてこの電子内視鏡用プロセッサは、操作ボタンの表示及び機能割当を設定する設定手段であって、タッチパネルの任意の表示領域に該操作ボタンを表示させる表示手段と、該表示手段により表示された該操作ボタンの表示領域に、該操作ボタンに対応した機能を割り当てる機能割当手段を有した設定手段をさらに備えている。従って、術者は、タッチパネル画面内に自身の好みに応じた操作ボタンの表示及び機能割当を設定することができる。そのため、電子内視鏡用プロセッサの操作性が格段に向上する。
【０００９】
また、上記電子内視鏡用プロセッサは、それぞれ異なった、操作ボタンに関するパターンを複数有しており、設定手段は、選択された該パターンに応じて、該操作ボタンの表示及び機能割当を設定することができる。
【００１０】
また、上記電子内視鏡用プロセッサは、所定の操作に関連づけられた、操作ボタンに関するパターンを複数有しており、設定手段は、該所定の操作に応じて、該操作ボタンの表示及び機能割当を設定することができる。
【００１１】
また、上記電子内視鏡用プロセッサにおいて、設定手段は、接続された電子内視鏡に対応した操作ボタンの表示及び機能割当を設定することができる。
【００１２】
また、上記の課題を解決する本発明の一態様に係る電子内視鏡システムは、体腔内を観察する為の電子内視鏡と、該電子内視鏡と接続された、該電子内視鏡から出力される画像信号に所定の処理を施す電子内視鏡用プロセッサであって、接続された該電子内視鏡及び該プロセッサに関する操作を行う為の操作ボタンが表示されるタッチパネルを備えた電子内視鏡用プロセッサを備えたものである。この電子内視鏡システムに備えられた電子内視鏡用プロセッサは、操作ボタンの表示及び機能割当を設定する設定手段であって、タッチパネルの任意の表示領域に該操作ボタンを表示させる表示手段と、該表示手段により表示された該操作ボタンの表示領域に、該操作ボタンに対応した機能を割り当てる機能割当手段を有した設定手段をさらに備えている。
【００１３】
また、上記電子内視鏡システムにおいて、電子内視鏡は、自己の種類を識別させる識別情報を有しており、設定手段は、該識別情報に基づいて操作ボタンの表示及び機能割当を設定することができる。
【発明の効果】
【００１４】
以上のように本発明の電子内視鏡用プロセッサは、操作ボタンの表示及び機能割当を設定する設定手段であって、タッチパネルの任意の表示領域に該操作ボタンを表示させる表示手段と、該表示手段により表示された該操作ボタンの表示領域に、該操作ボタンに対応した機能を割り当てる機能割当手段を有した設定手段を備えている。従って、術者は、タッチパネル画面内に自身の好みに応じた操作ボタンの表示及び機能割当を設定することができる。そのため、電子内視鏡用プロセッサの操作性が格段に向上する。
【００１５】
また、本発明の電子内視鏡用プロセッサによると、該電子内視鏡用プロセッサに接続された電子内視鏡の種類に応じた機能を操作部に割り当てることができる。従って、タッチパネル画面内から不要な操作ボタンを自動的に削除することができる。術者にとって不要な判断材料がタッチパネル画面内から削除されている為、電子内視鏡用プロセッサの操作性が向上する。
【発明を実施するための最良の形態】
【００１６】
本発明の実施形態の電子内視鏡用プロセッサを構成要素とする電子内視鏡システムの構成について概説する。図１は、本発明の実施形態の電子内視鏡システム１００の概略構成図である。以下に、図１を用いて、この電子内視鏡システム１００の構成及び作用を説明する。
【００１７】
電子内視鏡システム１００は、プロセッサ１００Ａと、該プロセッサ１００Ａに接続された電子内視鏡１００Ｂ、モニタ（外部モニタ）１００Ｃ及びキーボード１００Ｄから構成されている。プロセッサ１００Ａは、フロントパネルに設けられた、プロセッサ１００Ａ及び電子内視鏡１００Ｂに関する操作を行う為の操作部１０と、電子内視鏡１００ＢのコネクタＣが接続される接続口２０と、メモリカードが差し込まれるメモリカード挿入部３０を有している。
【００１８】
操作部１０は、例えば赤外線方式（赤外線遮光方式）のタッチパネルディスプレイ（タッチパネル付ディスプレイ）で構成されている。この操作部１０は、赤外線方式に限らず、例えば、抵抗膜方式や、超音波表面弾性波方式、静電容量方式、電磁誘導方式等の他の方式のタッチパネルディスプレイで構成されていてもよい。
【００１９】
電子内視鏡１００Ｂは、コネクタＣにより、プロセッサ１００Ａの接続口２０に設けられた映像・制御系電気コネクタ２０Ａ（図２）において電気的に接続され、かつ該接続口２０に設けられたライトガイドコネクタ２０Ｂ（図２）において光学的に接続されている。また、モニタ１００Ｃ及びキーボード１００Ｄは、それぞれプロセッサ１００Ａに電気的に接続されている。
【００２０】
電子内視鏡システム１００を使用した内視鏡処置は以下のようにして行われる。プロセッサ１００Ａの光源部（不図示）から発光された光は、プロセッサ１００Ａの接続口２０のライトガイドコネクタ２０Ｂ及び電子内視鏡１００ＢのコネクタＣを介して、電子内視鏡１００Ｂのライトガイド（不図示）に入射する。そして該光は、ライトガイドにより導光されて電子内視鏡１００Ｂの挿入部先端から照射され、体腔内の観察部位を照明する。電子内視鏡１００Ｂの先端に備えられているＣＣＤ（不図示）は、受光面に形成された観察部位の光学像に対応する電荷を蓄積し、該蓄積電荷に基づく電圧値を画像信号として出力する。画像信号は、電子内視鏡１００ＢのコネクタＣ及びプロセッサ１００Ａの接続口２０の電気コネクタ２０Ａを介してプロセッサ１００Ａに送信される。プロセッサ１００Ａは、画像信号に所定の画像処理を施した後、ビデオ信号としてモニタ１００Ｃに出力する。モニタ１００Ｃは、入力する信号に対応した画像を表示する。術者は、モニタ１００Ｃに表示される画像を観察することにより、病変部の発見や診療を行う。
【００２１】
図２は、本発明の実施形態の構成要件であるプロセッサ１００Ａのフロントパネル、モニタ１００Ｃの画面、及びキーボード１００Ｄを示した概略構成図である。また、図３は、操作部１０及び設定部４０を示した概略構成図である。以下に、図２及び図３を用いて、電子内視鏡システム１００の構成及び作用を説明する。
【００２２】
図２に示すように、操作部１０のタッチパネルディスプレイのタッチパネル画面内には、ボタンＢＴＮ１〜ＢＴＮ１５が投影されている。これらのボタンには、例えば、エンハンス、カラーバランス、ブライトネス、ホワイトバランス等の画像処理の設定に関する機能や、調光等の光源部の設定に関する機能が割り当てられている。電子内視鏡システム１００を用いて診断・治療等を行う際、術者は、操作部１０の各ボタンＢＴＮ１〜ＢＴＮ１５に適宜触れることにより、各ボタンＢＴＮ１〜ＢＴＮ１５に割り振られた機能を実行させることができる。
【００２３】
図３を用いて操作部１０のタッチパネル画面の表示と機能割当との関係を説明する。図示するように、操作部１０は長方形の透明板からなるタッチパネル画面を有している。この長方形のタッチパネル画面の外周側には、該タッチパネルを囲むように、複数の発光素子及び受光素子が整列して配置されている。これらの発光素子は例えば発光ダイオード（以下、ＬＥＤとする）であり、受光素子はフォトトランジスタ（以下、Ｐｔｒとする）である。
【００２４】
図３に示すように、これら複数の発光ダイオードであるＬＥＤ１〜ＬＥＤｎは、操作部１０のタッチパネル画面の下辺に沿って配置されている。また、複数のフォトトランジスタであるＰｔｒ１〜Ｐｔｒｎは、上記下辺に対向する辺、すなわち該タッチパネル画面の上辺に沿って配置されている。ＬＥＤ１〜ＬＥＤｎとＰｔｒ１〜Ｐｔｒｎとは互いに対向し、ＬＥＤ１から投光された光はＰｔｒ１が受光し、ＬＥＤ２から投光された光はＰｔｒ２が受光し、ＬＥＤｎから投光された光はＰｔｒｎが受光するよう配置されている。すなわち各発光ダイオードと各フォトトランジスタとは、それぞれ１：１の関係で配置されている。
【００２５】
さらに、複数の発光ダイオードであるＬＥＤ１’〜ＬＥＤｍ’は、操作部１０のタッチパネル画面の左辺に沿って配置されている。また、複数のフォトトランジスタであるＰｔｒ１’〜Ｐｔｒｍ’は、上記左辺に対向する辺、すなわち該タッチパネル画面の右辺に沿って配置されている。ＬＥＤ１’〜ＬＥＤｍ’とＰｔｒ１’〜Ｐｔｒｍ’とは互いに対向し、ＬＥＤ１’から投光された光はＰｔｒ１’が受光し、ＬＥＤ２’から投光された光はＰｔｒ２’が受光し、ＬＥＤｎ’から投光された光はＰｔｒｎ’が受光するよう配置されている。すなわち各発光ダイオードと各フォトトランジスタとは、それぞれ１：１の関係で配置されている。
【００２６】
操作部１０のタッチパネル画面の表示及び機能割当を司る設定部４０は、表示部（ディスプレイ部）４１及び割当部４２から構成されている。この表示部４１は、例えばＬＣＤ（液晶ディスプレイ）であり、プロセッサ１００Ａ、及び該プロセッサ１００Ａに接続された電子内視鏡に関する操作を行う為のボタンを表示し、タッチパネル画面内に投影させるものである。表示部４１は、タッチパネル画面内の位置を、各フォトトランジスタの配置と関連付けた２次元座標で把握している。具体的には、タッチパネル画面内において、Ｐｔｒ１〜Ｐｔｒｎと垂直方向で一致する位置をＸ１〜Ｘｎとして記憶し、Ｐｔｒ１’〜Ｐｔｒｍ’と水平方向で一致する位置をＹ１〜Ｙｍとして記憶している。この表示部４１は、プロセッサ１００Ａが有する描画プログラムを用いてタッチパネル画面内に種々のボタンを描画・投影することができる。
【００２７】
割当部４２は、表示部４１と同様に、タッチパネル画面内の位置を、各フォトトランジスタと関連付けた座標で把握している。さらに、この割当部４２は、該座標と関連付けて、表示部４１によってタッチパネル画面内に投影された各ボタンに、それぞれ対応した機能を割り当てることができる。
【００２８】
例えば座標（Ｘ３２、Ｙ１１）にホワイトバランスを調整するボタンＢＴＮ１０が設定されており、術者がこのＢＴＮ１０を操作したときのプロセッサ１００Ａの動作を説明する。このＢＴＮ１０に術者がタッチすると、ＬＥＤ３２からＰｔｒ３２に投光されていた光、及びＬＥＤ１１’からＰｔｒ１１’に投光されていた光が、術者の指によって遮光される。すなわちＰｔｒ３２及びＰｔｒ１１’が非受光状態となる。周知の赤外線方式のタッチパネルは、非受光状態となった受光素子に関連付けられた機能を実行させるものである。ここで、割当部４２は、座標（Ｘ３２、Ｙ１１）にホワイトバランスの調整機能を関連付けて記憶している為、該割当部４２からホワイトバランスの調整に関する信号が、図示しないプロセッサ１００Ａの制御部に送信される。この制御部は、割当部４２から送信された信号に基づいて、各ボタンに割り振られた機能が実行されるように電子内視鏡システム１００全体を駆動制御することができる。つまりこのとき制御部によりホワイトバランスの調整が行われる。次に、タッチパネルの設定・登録について説明する。
【００２９】
メモリカード挿入部３０に所定のメモリカードを差し込むか、キーボード１００Ｄで所定の操作を行うか、若しくはタッチパネル画面に表示されているＢＴＮ１５をタッチするかのいずれかの操作を行うと、タッチパネルの設定・登録を行うセットアップモードに移行することができる。セットアップモードに移行すると、例えば図２に示すような設定画面がモニタ１００Ｃに表示される。図２のモニタ１００Ｃに表示された「１：＊＊＊」、「２：＊＊＊」、「３：＊＊＊」・・・は、タッチパネルの設定・登録に関する登録番号である。すなわち、このセットアップモードにおいては、タッチパネルの設定を複数パターン登録することができる。つまり複数の術者が使用し得る電子内視鏡システム１００において、各術者は、それぞれ、電子内視鏡システム１００を操作し易いようにタッチパネルを設定・登録することができる。
【００３０】
セットアップモードに移行すると、術者は、タッチパネル若しくはキーボード１００Ｄを用いてタッチパネルの設定・登録を行うことができる。ここでは、キーボード１００Ｄを用いたタッチパネルの設定・登録方法を説明する。
【００３１】
セットアップモードに移行したら、先ず、図２のモニタ１００Ｃに表示された登録番号のいずれかをキーボード１００Ｄを操作して選択する。モニタ１００Ｃの右下に表示されているプレビュー５１は、設定中のタッチパネルのレイアウトを確認する為のプレビュー画面であり、上記座標と関連付けて各ボタンを表示するものである。モニタ１００Ｃの左側に表示されている一覧５２は、タッチパネルに割り当てることができる機能（エンハンス、カラーバランス、ホワイトバランス等）、及び表示可能なボタンの形状の一覧を表示したものである。なお、一覧５２が表示されている領域には、セットアップモード以外の通常時は、電子内視鏡により撮像された観察画像が表示される。
【００３２】
術者は、キーボード１００Ｄを操作して、一覧５２から使用したい機能及びボタンの形状を選択し、ボタンの大きさ、表示位置の座標等を入力していく。これらの操作によるタッチパネルのレイアウトは、即座にプレビュー５１に反映される。この一連の操作を繰り返してタッチパネルを設定し登録すると、表示部４１は、設定・登録されたボタンの形状、大きさ、座標に従って、タッチパネル上に各ボタンを描画する。また、割当部４２は、設定・登録されたボタンの機能、表示座標に従って、各座標（表示された各ボタン）に関連付けてそれぞれの機能を割り当てる。
【００３３】
例えば、キーボード１００Ｄを操作して、一覧５２から洗浄用送水ポンプのオン／オフを行う機能、及び四角いボタンを選択し、ボタンの大きさ「１」、座標（Ｘ３８、Ｙ１４）を入力し、タッチパネルを設定し登録すると、表示部４１は図２のＢＴＮ１１の如きボタンをタッチパネル上に投影し、割当部４２は、座標（Ｘ３８、Ｙ１４）に関連付けて洗浄用送水ポンプのオン／オフ機能を割り当てる。すなわち、座標（Ｘ３８、Ｙ１４）が非受光状態になると上述した制御部に洗浄用送水ポンプのオン／オフの信号が送信されるように、割当部４２は設定される。このような操作を繰り返すことにより、例えば図２に示したようなレイアウトでタッチパネルの設定が成される。
【００３４】
図４は、プロセッサ１００Ａに電子内視鏡１００Ｂを接続した際の操作部１０の状態を示した図である。電子内視鏡１００Ｂは、例えばズーム機能を有した電子内視鏡である。この電子内視鏡１００Ｂは、スコープ判定回路６１、ＣＣＤ回路６２、及び光源回路６３を有している。
【００３５】
スコープ判定回路６１は、電子内視鏡１００ＢのＩＤ情報を含んだ回路である。ここでいうＩＤ情報とは、例えば電子内視鏡１００Ｂの機種を示した番号である。ＣＣＤ回路６２は、電子内視鏡１００Ｂの先端に備えられている図示しないＣＣＤにより撮像された信号に所定の処理を加え、電子内視鏡１００Ｂとプロセッサ１００Ａとの信号の整合性を得る回路である。光源回路６３は、プロセッサ１００Ａの光源部から発光された光に所定の処理を加える回路である。
【００３６】
プロセッサ１００Ａに電子内視鏡１００Ｂが接続されると、スコープ判定回路６１及びＣＣＤ回路６２は映像・制御系電気コネクタ２０Ａを介してプロセッサ１００Ａに接続され、光源回路６３はライトガイドコネクタ２０Ｂを介してプロセッサ１００Ａに接続される。このときスコープ判定回路６１は、プロセッサ１００Ａの上述した制御部にＩＤ情報を送信する。
【００３７】
制御部は、電子内視鏡の各機種とタッチパネルの設定とをそれぞれ関連付けたテーブルを記憶しており、送信された該ＩＤ情報に基づきタッチパネルを設定する機能を果たす。例えば、電子内視鏡１００Ｂはズーム機能を有している為、上記テーブルには電子内視鏡１００Ｂの機種と操作部１０におけるズームボタンの設定とが関連付けて記憶されている。以下に、プロセッサ１００Ａに電子内視鏡１００Ｂが接続された際のタッチパネルの設定について説明する。
【００３８】
プロセッサ１００Ａに電子内視鏡１００Ｂが接続されると、制御部は、上記テーブルを読み込み、記憶された内容に応じたタッチパネルの設定を設定部４０に実行させる。表示部４１は、制御部から送信される信号に応じてタッチパネル画面を図２に示した画面から図４に示した画面に変更する。すなわち、電子内視鏡１００Ｂ接続前にはタッチパネル画面に表示されていなかったズームボタンＢＴＮ１６が、電子内視鏡１００Ｂ接続後には該画面内に表示される。またこのとき、観察系のズーム倍率の状態に応じて適正光量が変化する為、術者が該光量をマニュアルで調整できるように調光ボタンＢＴＮ１７も追加される。なお、電子内視鏡の機種によっては不要な機能も存在する。この電子内視鏡１００Ｂの場合、ホワイトバランスのボタンＢＴＮ１０が不要な為、電子内視鏡１００Ｂ接続と同時にタッチパネル画面内から削除される。そして割当部４２は、変更したタッチパネル画面内のレイアウトに応じて各機能を割り当てる。すなわち、ＢＴＮ１６、ＢＴＮ１７が表示された座標にズーム機能、調光機能を割り当てて、各ボタンが選択されると各機能が実行されるよう設定する。また、ＢＴＮ１０が表示されていた座標に対するホワイトバランスの調整機能の割り当てを解除する。つまり、プロセッサ１００Ａに電子内視鏡が接続されると、該電子内視鏡に必要な機能は操作部１０に該機能を有したボタンとして表示及び機能割当の設定が成され、該電子内視鏡に不要な機能は操作部１０から削除される。
【００３９】
図５は、本発明の実施形態の構成要件である操作部１０におけるボタン配置設定処理を示したフローチャートである。以下に、図５を用いてボタン配置設定処理を説明する。
【００４０】
電子内視鏡システム１００に電源が投入されると、プロセッサ１００Ａの上述した制御部は、メモリカード挿入部３０にメモリカードが差し込まれているか否かを判定する（Ｓ１）。このとき、メモリカード挿入部３０にメモリカードが差し込まれていると（Ｓ１：Ｙ）、Ｓ２の処理に進む。また、このとき、メモリカード挿入部３０にメモリカードが差し込まれていないと（Ｓ１：Ｎ）、Ｓ３の処理に進む。
【００４１】
Ｓ２において、上記制御部は、メモリカード挿入部３０に差し込まれたメモリカードにタッチパネルの設定情報が記憶されているか否かを判定する。このタッチパネルの設定情報とは、上述した登録番号に関連付けられたタッチパネルの設定と同様の情報である。このとき、差し込まれたメモリカードにタッチパネルの設定情報が記憶されていると（Ｓ２：Ｙ）、上述したセットアップモードに移行し（Ｓ４）、タッチパネル画面内の操作ボタンの設定・登録を行うことができる（Ｓ５）。また、該メモリカードにタッチパネルの設定情報が記憶されていないと（Ｓ２：Ｎ）、Ｓ３の処理に進む。なお、上記メモリカードは、通常、電子内視鏡により得られた体腔内の観察画像を記録する為に用いられる記録媒体である。
【００４２】
Ｓ３において、上記制御部は、セットアップモードに移行する為の所定の操作がキーボード１００Ｄを用いて行われたか否か、若しくはタッチパネル画面に表示されている“ＳＥＴＵＰ  ＭＯＤＥ”（図２のＢＴＮ１５相当の操作ボタン）がタッチされたか否かを判定する。このとき、上記いずれかの操作が行われていると（Ｓ３：Ｙ）、上述したセットアップモードに移行し（Ｓ４）、タッチパネル画面内の操作ボタンの設定・登録を行うことができる（Ｓ５）。また、上記いずれの操作も行われていないと（Ｓ３：Ｎ）、Ｓ６の処理に進む。
【００４３】
Ｓ５において、上述したようにタッチパネル画面内の操作ボタンの設定・登録を行いセットアップモードを終了させると、Ｓ６に進む。Ｓ６において、上記制御部は、プロセッサ１００Ａに電子内視鏡が接続されているか否かを判定する。このとき、プロセッサ１００Ａに電子内視鏡が接続されていると（Ｓ６：Ｙ）、上記制御部は、電子内視鏡内のスコープ判定回路６１からＩＤ情報を取得して（Ｓ７）、上述したテーブルに基づきタッチパネル画面内の操作ボタンの設定を行い（Ｓ８）、本フローチャートに示したボタン配置設定処理を終了する。また、プロセッサ１００Ａに電子内視鏡が接続されていないと（Ｓ６：Ｎ）、該ボタン配置設定処理を終了する。
【００４４】
以上に示したボタン配置設定処理が終了すると、タッチパネル画面内には、術者が設定・登録したレイアウトで、かつプロセッサ１００Ａに接続された電子内視鏡に対応した各操作ボタンが表示される。
【００４５】
なお、本発明の実施形態のプロセッサ１００Ａを電子内視鏡システムに組み込むと、該電子内視鏡システムは、新しい機能を有した電子内視鏡にも対応することができる。以下に、電子内視鏡システムに対する新機能追加について説明する。
【００４６】
先ず、術者の所属する病院等が、新しい機能を有した電子内視鏡を購入する。そして術者等が、該電子内視鏡に付属のＣＤ−ＲＯＭ等の記録媒体から、電子内視鏡を使用する為のアプリケーションを、プロセッサ１００Ａにインストールする。該ＣＤ−ＲＯＭ等の記録媒体には、新しい機能を使用可能にする為のアプリケーションが記録されている。
【００４７】
該アプリケーションをプロセッサ１００Ａにインストールすると、インストーラは、任意の座標に該新機能を割り当てることができるように、割当部４２を更新する。また、インストーラは、該新機能を実行する為のプログラムを、プロセッサ１００Ａの制御部に追加する。このとき該新機能がこの電子内視鏡独自の機能である場合、インストーラは、該電子内視鏡の機種とタッチパネルの設定とを関連付けてテーブルに記憶させ、かつ該電子内視鏡がプロセッサ１００Ａに接続されたときのみ、該新機能を割り当てた操作ボタンが設定されるようプログラミングされている。
【００４８】
以上が本発明の実施形態である。本発明はこれらの実施形態に限定されるものではなく様々な範囲で変形が可能である。
【００４９】
なお、本発明の実施形態では、タッチパネルの設定を行うときにはセットアップモードに移行しているが、所定の操作を行うことによりタッチパネルが設定できるようにしてもよい。具体的には、登録されている複数種類のタッチパネルの設定のそれぞれに所定の操作を関連付けて設定部４０や制御部に記憶させておき、上記所定の操作のいずれかの操作が行われると、該操作に関連付けられたタッチパネルの設定が読み込まれ、設定部４０によりタッチパネルの設定が行われるようにする。
【図面の簡単な説明】
【００５０】
【図１】本発明の実施形態の電子内視鏡システムの概略構成図である。
【図２】本発明の実施形態の構成要件であるフロントパネル、モニタ、及びキーボードを示した概略構成図である。
【図３】本発明の実施形態の構成要件である操作部及び設定部を示した概略構成図である。
【図４】プロセッサに電子内視鏡を接続した際の操作部の状態を示した図である。
【図５】本発明の実施形態の構成要件である操作部におけるボタン配置設定処理を示したフローチャートである。
【符号の説明】
【００５１】
１０  操作部
４０  設定部
４１  表示部
４２  割当部
１００  電子内視鏡システム
１００Ａ  プロセッサ
１００Ｂ  電子内視鏡
１００Ｃ  モニタ
１００Ｄ  キーボード
【図１】
2005185541.tif 000003
【図２】
2005185541.tif 000004
【図３】
2005185541.tif 000005
【図４】
2005185541.tif 000006
【図５】
2005185541.tif 000007